(57)【特許請求の範囲】
【請求項１】
光学素子を保持し、回転することにより前記光学素子を照明光路に交換可能に配置する回転部材に備えられる光路遮断装置において、
回転動作によって前記光学素子に入射する照明光を遮断する照明光遮断部材と、
前記回転部材が回転したとき、その回転方向と反対方向へ、前記回転部材の回転速度よりも速い速度で前記照明光遮断部材が回転するように、前記回転部材の回転力を前記照明光遮断部材に伝達し、前記光学素子に前記照明光が入射するのを阻止する伝達手段と
を備えていることを特徴とする光路遮断装置。
【請求項２】
観察光路と照明光路とを分離する遮光筒を有するレボルバ本体部と、このレボルバ本体部に回転可能であるとともに、複数の対物レンズを装着可能なレボルバ回転部とで構成されるレボルバに備えられる光路遮断装置において、
前記レボルバ回転部に設けられた第１の歯車と、前記レボルバ本体部に設けられ、前記第１の歯車と噛み合う第２の歯車と、前記レボルバ本体部に設けられ、前記第２の歯車と噛み合う第３の歯車と、この第３の歯車に設けられ、前記レボルバ回転部を回転させたとき、前記レボルバ回転部の回転方向と反対方向へ回転し、前記遮光筒の外周に形成される照明光路を遮断可能な照明光遮断部材とを備え、前記第１の歯車のピッチ円は前記第３の歯車のピッチ円より十分に大きいことを特徴とする光路遮断装置。
【請求項３】
観察光路と照明光路とを分離する遮光筒を有するレボルバ本体部と、このレボルバ本体部に回転可能であるとともに、複数の対物レンズを装着可能なレボルバ回転部とで構成されるレボルバに備えられる光路遮断装置において、
回転動作によって前記遮光筒の外周に形成される照明光路を遮断可能な照明光遮断部材と、前記レボルバ回転部に設けられた第１の歯車と、前記レボルバ本体部に設けられ、前記第１の歯車と噛み合う第２の歯車と、この第２の歯車に設けられ、前記レボルバ回転部が回転を始めたとき、前記照明光遮断部材に形成された開口部と係合して前記照明光遮断部材を前記レボルバ回転部の回転方向と反対方向へ前記レボルバ回転部よりも速く回転させる係合部材とを備えることを特徴とする光路遮断装置。
【発明の詳細な説明】
【０００１】
【発明の属する技術分野】
この発明は光路遮断装置に関する。
【０００２】
【従来の技術】
従来反射照明顕微鏡を用いた観察方法としては反射明視野観察法が一般的であったが、最近では反射暗視野観察法も多く用いられるようになってきている。
【０００３】
図６は暗視野観察法が可能な反射照明顕微鏡の側面図である。
この反射照明顕微鏡は、アーム２４０と、このアーム２４０の一端に取り付けられた光源２５０と、アーム２４０の他端上部に取り付けられた接眼レンズ２６０を有する鏡筒２７０と、アーム２４０の他端下面に取り付けられた複数の対物レンズ２９０を有するレボルバ２１０とを備える。
【０００４】
図７は図６のＡ矢視方向から見たレボルバの破断面図であり、図７（ａ）は対物レンズの光軸と顕微鏡本体の光軸とを一致させた状態を示し、図７（ｂ）は対物レンズの光軸と顕微鏡本体の光軸とをずらした状態を示す。
【０００５】
レボルバ２１０はレボルバ本体部２２０とレボルバ回転部２３０とで構成される。
レボルバ本体部２２０には遮光筒２２９が設けられ、レボルバ暗視野照明光路Ｒ２と観察光路Ｒ１とが分離している。レボルバ本体部２２０と遮光筒２２９との間に形成されるレボルバ暗視野照明光路Ｒ２はリング状の断面である。
【０００６】
このレボルバ本体部２２０には複数の対物レンズ２９０を装着可能なレボルバ回転部２３０が回転可能に設けられている。対物レンズ２９０の周囲には対物レンズ暗視野照明光路Ｏ２が形成されている。
【０００７】
したがって、対物レンズ２９０の光軸ＯＬと顕微鏡本体の光軸ＲＬとが一致しているときには、照明系によってリング状に絞られた照明光はレボルバ暗視野照明光路Ｒ２及び対物レンズ暗視野照明光路Ｏ２を通り、対物レンズ２９０の先端のミラー２９１で反射され、標本Ｓに斜めに入射する。
【０００８】
ところで、標本Ｓが理想的な鏡面であるときには、照明光は図７（ａ）に点線で示す光路を通り、観察光路Ｏ１，Ｒ１には照明光が通らないため、接眼レンズ２６０で見える標本Ｓは真っ暗である。
【０００９】
しかし、標本Ｓに傷があったり、ごみが付着していたりすると、これらによって照明光は散乱し、一部が観察光路Ｏ１，Ｒ１を通るため、この散乱光が真っ暗の視野内で輝いて見える。
【００１０】
そのため、通常の明視野観察では見ることができない傷やごみ等を見つけることができる。
【００１１】
対物レンズ２９０を切り換えるためレボルバ回転部２３０を回転させたとき、図７（ｂ）に示すように対物レンズ２９０の光軸ＯＬと顕微鏡本体の光軸ＲＬとがずれる。
【００１２】
この状態ではレボルバ暗視野照明光路Ｒ２を通った照明光が対物レンズ２９０の観察光路Ｏ１を通って標本Ｓに入射し、標本Ｓで反射される。
【００１３】
標本Ｓで反射された照明光は対物レンズ２９０の観察光路Ｏ１、レボルバの観察光路Ｒ１を通って接眼レンズ２６０に導かれる。
【００１４】
暗視野観察時の散乱光は僅かな光量であるのに対し、この標本Ｓで反射された光は観察者にとって非常に眩しく、閃光のように感じられる。
【００１５】
なお、レボルバ回転部２３０が更に回転すれば、レボルバ暗視野照明光路Ｒ２と対物レンズの観察光路Ｏ１とは完全に離れるので、眩しさはなくなる。
【００１６】
特開平９−６８６５５号公報には、照明光を遮断可能な照明光遮断部材と、レボルバ回転部に対物レンズ取付孔と同じピッチで設けられた突片と、レボルバ本体に設けられ、対物レンズ取付孔が観察光路に挿入されるとき、突片から力を受けて照明光遮断部材を開き、対物レンズ取付孔が観察光路から外れるとき、照明光遮断部材を閉じるようにレボルバ回転部の回転動作と連動するリンク機構とを備え、レボルバ回転時に生じる閃光を接眼レンズへ導かないようにした光路遮断装置が開示されている。
【００１７】
【発明が解決しようとする課題】
しかし、上記光路遮断装置は照明光遮断部材を作動するための構成が大変複雑であるので、製造コストが高く、信頼性も低いという問題がある。
【００１８】
また、レボルバ本体部とレボルバ回転部との間の狭いスペースに照明光遮断部材を作動させるための機構を収容するには、この機構等を構成する部品を小さくする必要があり、しかもレボルバ回転部を回転させる度に突片等には断続的に大きな力が加わるため、耐久性が低いという問題がある。
【００１９】
この発明はこのような事情に鑑みてなされたもので、その課題は照明光遮断部材を作動させる構成を簡単にし、信頼性及び耐久性を向上させるとともに、製造コストの低減を図ることができる光路遮断装置を提供することにある。
【００２０】
【課題を解決するための手段】
上記課題を解決するために請求項１に記載の発明は、光学素子を保持し、回転することにより前記光学素子を照明光路に交換可能に配置する回転部材に備えられる光路遮断装置において、回転動作によって前記光学素子に入射する照明光を遮断する照明光遮断部材と、前記回転部材が回転したとき、その回転方向と反対方向へ、前記回転部材の回転速度よりも速い速度で前記照明光遮断部材が回転するように、前記回転部材の回転力を前記照明光遮断部材に伝達し、前記光学素子に前記照明光が入射するのを阻止する伝達手段とを備えていることを特徴とする。
【００２１】
光学素子を切り換えるために回転部材を回転させたとき、伝達手段、具体的にはリンク機構等の伝達機構が照明光遮断部材を回転部材の回転速度より速く反対方向へ回転させ、光学素子に照明光が入射するのを阻止する。
【００２２】
請求項２に記載の発明は、観察光路と照明光路とを分離する遮光筒を有するレボルバ本体部と、このレボルバ本体部に回転可能であるとともに、複数の対物レンズを装着可能なレボルバ回転部とで構成されるレボルバに備えられる光路遮断装置において、前記レボルバ回転部に設けられた第１の歯車と、前記レボルバ本体部に設けられ、前記第１の歯車と噛み合う第２の歯車と、前記レボルバ本体部に設けられ、前記第２の歯車と噛み合う第３の歯車と、この第３の歯車に設けられ、前記レボルバ回転部を回転させたとき、前記レボルバ回転部の回転方向と反対方向へ回転し、前記遮光筒の外周に形成される照明光路を遮断可能な照明光遮断部材とを備え、前記第１の歯車のピッチ円は前記第３の歯車のピッチ円より十分に大きいことを特徴とする。
【００２３】
第１の歯車のピッチ円を第３の歯車のピッチ円より十分に大きくしているので、回転部材を回転させたとき、照明光遮断部材が回転部材より速く反対方向へ回転し、光学素子への照明光の入射を阻止する。
【００２４】
請求項３に記載の発明は、観察光路と照明光路とを分離する遮光筒を有するレボルバ本体部と、このレボルバ本体部に回転可能であるとともに、複数の対物レンズを装着可能なレボルバ回転部とで構成されるレボルバに備えられる光路遮断装置において、回転動作によって前記遮光筒の外周に形成される照明光路を遮断可能な照明光遮断部材と、前記レボルバ回転部に設けられた第１の歯車と、前記レボルバ本体部に設けられ、前記第１の歯車と噛み合う第２の歯車と、この第２の歯車に設けられ、前記レボルバ回転部が回転を始めたとき、前記照明光遮断部材に形成された開口部と係合して前記照明光遮断部材を前記レボルバ回転部の回転方向と反対方向へ前記レボルバ回転部よりも速く回転させる係合部材とを備えることを特徴とする。
【００２５】
レボルバ回転部が回転を始めたとき、照明光遮断部材に形成された開口部に係合した係合部材によって照明光遮断部材がレボルバ回転部の回転方向と反対方向へレボルバ回転部よりも速く回転し、光学素子への照明光の入射を阻止する。
【００２６】
【発明の実施の形態】
以下、この発明の実施の形態を図面に基づいて説明する。
【００２７】
図１（ａ）はこの発明の第１実施形態に係る光路遮断装置を備えるレボルバの断面図、図１（ｂ）は図１（ａ）のＡ−Ａ矢視図である。
【００２８】
このレボルバ１０は、レボルバ本体部２０とレボルバ回転部（回転部材）３０とを備える。
【００２９】
レボルバ本体部２０は、顕微鏡本体（図示せず）への取付部２１と、下面の段差部２２と、中心の筒部２３とで構成される。
【００３０】
取付部２１（レボルバ本体部２０）には筒状の遮光筒２９が設けられ、レボルバ暗視野照明光路Ｒ２と観察光路Ｒ１とを分離している。取付部２１と遮光筒２９との間に形成されるレボルバ暗視野照明光路Ｒ２はリング状の断面である。
【００３１】
このレボルバ本体部２０にはクリック機構の一部を構成するばね２４の一端がねじ２４ａで取り付けられている。ばね２４の他端には鋼球２５が溶接されており、鋼球２５をレボルバ回転部３０に設けられたＶ溝３２ａに落ち込ませることでレボルバ回転部３０の位置決めが行われる。
【００３２】
レボルバ本体部２０の筒部２３には回転部３０の回転中心となる中心軸２６が螺着されている。
【００３３】
筒部２３には、第２の歯車６１を支持する固定部材４１が螺着されている。第２の歯車６１と噛み合う第３の歯車６２が遮光板５０に形成されている。
【００３４】
この第３の歯車６２には円板状の遮光板（照明光遮断部材）５０が設けられている。なお、第２の歯車６１の歯車軸６１ａはカシメによって固定部材４１に固定されている。
【００３５】
遮光板５０には光を通すためのほぼ半円形状の開口部５１，５２が周方向に１８０度の間隔で形成されている。
【００３６】
レボルバ回転部３０の中心には筒部２３と中心軸２６とを収容可能な中心孔３１が形成されており、テーパ面２６ａと中心孔３１の内周面との間にはベアリングボール４２が転動可能に配置されている。
【００３７】
また、レボルバ本体部２０の下面の外周部に形成された段差部２２とレボルバ回転部３０の内周に形成された段部３２との間にはベアリングボール４３が転動可能に配置されている。
【００３８】
レボルバ回転部３０には複数（ここでは５つ）の対物レンズ（光学素子）９０を装着するための複数の装着孔３２が、周方向に等間隔で形成されている。
【００３９】
対物レンズ９０にも、レボルバ暗視野照明光路Ｒ２と観察光路Ｒ１とにそれぞれ対応する対物レンズ暗視野照明光路Ｏ２と観察光路Ｏ１とが形成されている。
【００４０】
レボルバ回転部３０の外周部にはレボルバ回転部３０を回転させるためのリング３３が固定され、このリング３３をつかんでレボルバ回転部３０を回転させる。
【００４１】
また、レボルバ回転部３０の内周部には第２の歯車６１と噛み合う内歯歯車（第１の歯車）６３が固定されている。なお、この内歯歯車６３は第３の歯車６２に比し歯数が非常に多いため、大きな回転比を得ることができる。
【００４２】
また、内歯歯車６３は３つの長孔６４を挿通するビス６５によってレボルバ回転部３０に固定されており、長孔６４によって遮光板５０の取付時の開口部５１と光路Ｒ２との位置合わせが行われる。
【００４３】
なお、内歯歯車６３、第２の歯車６１、第３の歯車６２で伝達機構が構成され、この伝達機構によってレボルバ回転部３０の回転力が遮光板５０に伝達される。また、伝達機構と遮光板５０とよって光路遮断装置が構成される。
【００４４】
上記構成の光路遮断装置は次のように動作する。
図２は光路遮断装置の動作を説明する図、図３は遮光板によるレボルバ暗視野照明光路の遮光を説明するレボルバの部分拡大断面図である。
【００４５】
なお、図２（ａ）は対物レンズ切換え前の状態を、図２（ｂ）はレボルバ回転部が回転し始めた直後の状態を、図２（ｃ）は対物レンズ切換え中の状態を、図２（ｄ）は対物レンズ切換え後の状態をそれぞれ示す図であり、図３（ａ）は対物レンズ光軸ＯＬと顕微鏡本体の光軸ＲＬとが一致している状態を、図３（ｂ）は対物レンズ光軸ＯＬと顕微鏡本体の光軸ＲＬとがずれている状態を説明する図である。
【００４６】
鋼球２５がＶ溝３２ａに落ち込んでいる状態、すなわち対物レンズ光軸ＯＬと顕微鏡本体の光軸ＲＬとが一致している状態では、遮光板５０の開口部５１の中心は顕微鏡本体の光軸ＲＬと一致している。このとき、遮光板５０の開口部５１はレボルバ暗視野照明光路Ｒ２の外側に位置しており、レボルバ暗視野照明光路Ｒ２と観察光路Ｒ１とは確保されている（図２（ａ）及び図３（ａ）参照）。
【００４７】
レボルバ回転部３０が矢印ｐ方向へ回転すると、回転力は内歯歯車６３、第２の歯車６１及び第３の歯車６２を介して遮光板５０に伝わり、遮光板５０が矢印ｑ方向へ回転する。
【００４８】
このとき、レボルバ暗視野照明光路Ｒ２と対物レンズ９０の観察光路Ｏ１とが重なった部分に入る照明光が閃光の原因となるので、対物レンズ９０が距離ａを移動するよりも速く遮光板５０を距離ｂ（ｂ＞ａ）だけ移動させる必要がある。
【００４９】
ところで、対物レンズ９０の切換えの度に遮光板５０の開口部５１，５２を顕微鏡本体の光軸ＲＬと一致させるためには、次の式（１）の関係を満たす必要がある。
【００５０】
ｄ１／ｄ３＝Ｎ／ｎ                                            （１）
【００５１】
ここで、ｄ１は内歯歯車６３のピッチ円直径、ｄ３は第３の歯車６２のピッチ円直径、Ｎは対物レンズ９０を装着するための装着孔３２の個数、ｎは遮光板５０の開口部５１，５２の個数である。
【００５２】
この実施形態では内歯歯車６３のピッチ円直径ｄ１が第３の歯車６２のピッチ円直径ｄ３の２．５倍であるので、遮光板５０はレボルバ回転部３０の回転速度の２．５倍の速度で回転する。
【００５３】
そのため、レボルバ暗視野照明光路Ｒ２と対物レンズの観察光路Ｏ１とが重なった部分は確実に遮光され、レボルバ暗視野照明光路Ｒ２と対物レンズの観察光路Ｏ１とが重なった部分から対物レンズ９０に照明光が入射するのが阻止される（図２（ｂ）及び図３（ｂ）参照）。
【００５４】
レボルバ回転部３０が更に回転すると（図２（ｃ）参照）、レボルバ暗視野照明光路Ｒ２と観察光路Ｒ１とが遮光される。
【００５５】
レボルバ回転部３０が更に回転してレボルバ回転部３０の装着孔３２に装着された対物レンズ９０が別の対物レンズに切り換わると、遮光板５０の開口部５２の中心が顕微鏡光軸ＲＬと一致し、レボルバ暗視野照明光路Ｒ２と観察光路Ｒ１とが再び確保される（図２（ｄ）参照）。
【００５６】
この実施形態によれば、構成が簡単な伝達機構を用いて遮光板５０をレボルバ回転部３０より速く回転させるだけで閃光を防止できるので、信頼性が向上するとともに、従来例のように断続的な力がレボルバ回転部に作用しないので耐久性を向上させることができる。
【００５７】
また、伝達機構を構成する歯車や遮光板を射出成形によって製造できるので製造コストの低減を図ることもできる。
【００５８】
図４（ａ）はこの発明の第２実施形態に係る光路遮断装置を備えるレボルバの断面図、図４（ｂ）は図４（ａ）のＢ−Ｂ矢視図である。
【００５９】
このレボルバ１１０は、レボルバ本体部１２０とレボルバ回転部１３０とを備え、アームの取付面に着脱可能に取り付けられている。
【００６０】
レボルバ本体部１２０は、顕微鏡本体への取付部１２１と、下面の段差部１２２と、中心の筒部１２３とで構成される。
【００６１】
取付部１２１（レボルバ本体部１２０）には筒状の遮光筒１２９が設けられ、レボルバ暗視野照明光路Ｒ２と観察光路Ｒ１とが分離している。取付部１２１と遮光筒１２９との間に形成されるレボルバ暗視野照明光路Ｒ２はリング状の断面である。
【００６２】
このレボルバ本体部１２０にはクリック機構の一部を構成するばね１２４の一端がねじ１２４ａで取り付けられている。ばね１２４の他端には鋼球１２５が溶接されており、鋼球１２５をレボルバ回転部１３０のＶ溝１３２ａに落ち込ませることでレボルバ回転部１３０の位置決めが行われる。
【００６３】
レボルバ本体部１２０の筒部１２３にはレボルバ回転部１３０の回転中心となる中心軸１２６が螺着されている。
【００６４】
レボルバ回転部１３０には第２の歯車１６１と噛み合う第１の歯車１６３がねじによって取り付けられている。
【００６５】
また、筒部１２３には固定部材１４１が螺着され、この固定部材１４１によって遮光板１５０が回転可能に支持されている。
【００６６】
遮光板１５０には、光を通すためのほぼ半円形状の開口部１５１が形成されているとともに、ベアリング（係合部材）１７０と係合するカム溝（開口部）１５２が形成されている。
【００６７】
また、遮光板１５０の中間部はコイルばね１８０によって半径方向外方へ付勢されている。
【００６８】
第２の歯車１６１を回転可能に支持する歯車軸１６１ａはレボルバ本体部１２０に螺着されている。
【００６９】
第２の歯車１６１には円板部１６２が形成されている。
円板部１６２にはベアリング１７０を備えたベアリング軸１７１が螺着され、ベアリング１７０はレボルバ回転部１３０の回転に伴ってカム溝１５２に沿って移動する。
【００７０】
レボルバ回転部１３０の中心には筒部１２３と中心軸１２６とを収容可能な中心孔１３１が形成されており、テーパ面１２６ａと中心孔１３１の内周面との間にはベアリングボール１４２が転動可能に配置されている。
【００７１】
また、レボルバ本体部１２０の下面の外周部に形成された段差部１２２と回転部１３０の内周に形成された段部１３２との間にはベアリングボール１４３が転動可能に配置されている。
【００７２】
レボルバ回転部１３０には複数（ここでは５つ）の対物レンズ１９０を装着するための複数の装着孔１３２が、周方向に等間隔で形成されている。
【００７３】
対物レンズ１９０にも、レボルバ暗視野照明光路Ｒ２と観察光路Ｒ１とにそれぞれ対応する対物レンズ暗視野照明光路Ｏ２と観察光路Ｏ１とが形成されている。
【００７４】
このレボルバ回転部１３０の外周部にはレボルバ回転部１３０を回転させるためのリング１３３が設けられている。
【００７５】
なお、第１の歯車１６３、第２の歯車１６１、ベアリング１７０でリンク機構が構成され、このリンク機構によってレボルバ回転部１３０の回転力が遮光板１５０に伝達される。また、リンク機構と遮光板１５０とよって光路遮断装置が構成される。
【００７６】
上記構成の光路遮断装置は次のように動作する。
図５（ａ）乃至図５（ｅ）は光路遮断装置の動作を説明する図である。
【００７７】
鋼球１２５がＶ溝１３２ａに落ち込んでいる状態、すなわち対物レンズ光軸ＯＬと顕微鏡本体の光軸ＲＬとが一致している状態では、遮光板１５０の開口部１５１の中心は顕微鏡本体の光軸ＲＬと一致している。
【００７８】
このとき、遮光板１５０の開口部１５１はレボルバ暗視野照明光路Ｒ２の外側に位置しており、レボルバ暗視野照明光路Ｒ２と観察光路Ｒ１とは確保されている（図５（ａ）参照）。
【００７９】
レボルバ回転部３０が矢印ｕ方向へ回転すると、回転力は第１の歯車１６３、第２の歯車１６１、ベアリング軸１７１及びベアリング１７０を介して遮光板１５０に伝わり、遮光板１５０が矢印ｖ方向へ回転する。
【００８０】
このとき、ベアリング１７０はカム溝１５２の小径溝１５２ａに係合しているので、遮光板１５０はベアリング１７０とともに反対方向へレボルバ回転部３０の回転速度よりも速く回転する。
【００８１】
そのため、レボルバ暗視野照明光路Ｒ２と対物レンズの観察光路Ｏ１とが重なった部分は遮光され、レボルバ暗視野照明光路Ｒ２と対物レンズ１９０の観察光路Ｏ１とが重なった部分から対物レンズ１９０に入射する照明光が阻止される（図５（ｂ）参照）。
【００８２】
レボルバ回転部１３０が更に回転すると、ベアリング１７０がカム溝１５２の小径溝１５２ａから外れ、大径溝１５２ｂに係合する（図５（ｃ）参照）。
【００８３】
遮光板１５０はコイルばね１８０によってレボルバ回転部１３０とは反対の方向へ付勢されているので、ベアリング１７０は大径溝１５２ｂに沿って移動する。
【００８４】
そのため、遮光板１５０は矢印ｗ方向へ回転し始める（図５（ｄ）参照）。
レボルバ回転部３０が更に回転し、ベアリング１７０がカム溝１５２の大径溝１５２ｂに沿って１８０度移動すると、遮光板１５０は元の位置へ戻る（図５（ｅ）参照）。
【００８５】
このとき、レボルバ暗視野照明光路Ｒ２と対物レンズ１９０の観察光路Ｏ１とは十分に離れ、照明光が対物レンズ１９０に入射することはない。
【００８６】
レボルバ回転部３０が更に回転し、ベアリング１７０がカム溝１５２の大径溝１５２ｂに沿って１８０度移動して再び小径溝１５２ａに係合し、遮光板１５０がベアリング１７０とともに反対方向へレボルバ回転部３０の回転速度よりも速く回転する。
【００８７】
ぞのため、レボルバ回転部１３０に装着された次の対物レンズの光軸ＯＬと顕微鏡本体の光軸ＲＬとが一致する直前に生じる閃光が防止される。
【００８８】
このとき、遮光板１５０は最初の位置（図５（ａ）参照）に戻るので、レボルバ暗視野照明光路Ｒ２と観察光路Ｒ１とが確保される。
【００８９】
この実施形態によれば、構成が簡単なリンク機構とカム機構を用いて遮光板１５０をレボルバ回転部１３０より速く回転させるだけで対物レンズ１９０を切り換えるときに生じる閃光を防止できるので、信頼性が向上するとともに、従来例のように断続的な力が作用しないので耐久性を向上させることができる。
【００９０】
また、歯車や遮光板を射出成形によって製造することによって製造コストの低減を図ることもできる。
【００９１】
なお、上記各実施形態は遮光板をレボルバに設けた場合で説明したが、光路上の任意の位置に設ければよく、例えばフィルタ等を取り付けたターレット等に設けるようにしてもよい。
【００９２】
また、上記各実施形態は手動のレボルバであるが、電動レボルバであってもよい。
【００９３】
【発明の効果】
以上に説明したように請求項１乃至３記載の発明の光路遮断装置によれば、光学素子を切り換えるためにレボルバ等の回転部材を回転させたとき、歯車列等で構成される伝達手段によって照明光遮断部材をレボルバ等の回転部材の回転速度より速く反対方向へ回転させ、簡単な構成で光学素子に照明光が入射するのを阻止することができるので、信頼性及び耐久性を向上させることができるとともに、製造コストの低減を図ることができる。
【図面の簡単な説明】
【図１】図１（ａ）はこの発明の第１実施形態に係る光路遮断装置を備えるレボルバの断面図、図１（ｂ）は図１（ａ）のＡ−Ａ矢視図である。
【図２】図２は光路遮断装置の動作を説明する図であり、図２（ａ）は対物レンズ切換え前の状態を、図２（ｂ）はレボルバ回転部が回転し始めた直後の状態を、図２（ｃ）は対物レンズ切換え中の状態を、図２（ｄ）は対物レンズ切換え後の状態を示す図である。
【図３】図３は遮光板によるレボルバ暗視野照明光路の遮光を説明するレボルバの部分拡大断面図であり、図３（ａ）は対物レンズ光軸ＯＬと顕微鏡本体の光軸ＲＬとが一致している状態を、図３（ｂ）は対物レンズ光軸ＯＬと顕微鏡本体の光軸ＲＬとがずれている状態を説明する図である。
【図４】図４（ａ）はこの発明の第２実施形態に係る光路遮断装置を備えるレボルバの断面図、図４（ｂ）は図４（ａ）のＢ−Ｂ矢視図である。
【図５】図５（ａ）乃至図５（ｅ）は光路遮断装置の動作を説明する図である。
【図６】図６は暗視野観察法が可能な落射照明顕微鏡の側面図である。
【図７】図７は図６のＡ矢視方向から見たレボルバの破断面図であり、図７（ａ）は対物レンズの光軸と顕微鏡本体の光軸とを一致させた状態を示し、図７（ｂ）は対物レンズの光軸と顕微鏡本体の光軸とをずらした状態を示す図である。
【符号の説明】
１０  レボルバ
２０  レボルバ本体部
２９  遮光筒
３０  レボルバ回転部（回転部材）
５０  遮光板（照明光遮断部材）
６１  第２の歯車
６２  第３の歯車
６３  内歯歯車（第１の歯車）
９０  対物レンズ（光学素子）
【図１】
0004172068.tif 000002
【図２】
0004172068.tif 000003
【図３】
0004172068.tif 000004
【図４】
0004172068.tif 000005
【図５】
0004172068.tif 000006
【図６】
0004172068.tif 000007
【図７】
0004172068.tif 000008